(57)【要約】【課題】従来のタバコの火消し機能付灰皿では、直ぐに火消し孔が灰で詰まってしまう欠点があった。【解決手段】本発明のタバコの火消し機能付灰皿は、灰皿ケースと、この灰皿ケース内に配置したタバコ挿入用筒体と、この筒体内面に配置せしめた灰除去体と、上記筒体を上記灰除去体と相対的に移動せしめる手段とより成る。上記相対移動手段は、上記灰除去体を上記筒体のタバコ挿入口に位置せしめるよう抑制せしめる弾性手段または上記筒体のタバコ挿入口と反対側開口を上記灰除去体に位置せしめるよう抑制せしめる弾性手段を有する。上記灰皿ケースは開閉蓋を有し、上記弾性手段に抗して上記筒体が上記開閉蓋の閉時上記灰除去体と相対的に移動される。【選択図】　図１
2004017786.tif 000002
【特許請求の範囲】
【請求項１】
灰皿ケースと、この灰皿ケース内に配置したタバコ挿入用筒体と、この筒体内面に配置せしめた灰除去体と、上記筒体と上記灰除去体の一方を他方に対し相対的に移動せしめる手段とよりなることを特徴とするタバコの火消し機能付灰皿。
【請求項２】
上記相対的に移動せしめる手段が、上記灰除去体を上記筒体のタバコ挿入口側に付勢せしめる弾性手段を有することを特徴とする請求項１記載のタバコの火消し機能付灰皿。
【請求項３】
上記相対的に移動せしめる手段が、上記筒体のタバコ挿入口と反対側の開口を上記灰除去体側に付勢せしめる弾性手段を有することを特徴とする請求項１記載のタバコの火消し機能付灰皿。
【請求項４】
上記相対的に移動せしめる手段が、上記灰除去体を上記筒体のタバコ挿入口と反対側の開口側に付勢せしめる弾性手段を有することを特徴とする請求項１記載のタバコの火消し機能付灰皿。
【請求項５】
灰皿ケースと、開閉蓋と、この灰皿ケース内に配置したタバコ挿入用筒体と、この筒体内面に配置せしめた灰除去体と、上記筒体と上記灰除去体の一方を他方に対し相対的に移動せしめる手段とより成り、上記相対的に移動せしめる手段が上記開閉蓋の開閉に連動していることを特徴とするタバコの火消し機能付灰皿。
【請求項６】
灰皿ケースと、この灰皿ケースにその基部を枢支した開閉蓋と、この蓋の下面に固定したタバコ挿入用筒体と、この筒体内面に配置せしめた灰除去体と、この灰除去体にその一端を連結し、その他端を上記開閉蓋の枢支部の下方位置において上記灰皿ケースに枢支した連結具とより成ることを特徴とするタバコの火消し機能付灰皿。
【発明の詳細な説明】
【０００１】
【発明の属する技術分野】
本発明はタバコの火消し機能付灰皿、特に火消し具の孔をクリーニング可能なタバコの火消し機能付灰皿に関するものである。
【０００２】
【従来の技術】
従来、灰皿に設けた火消し孔に火の付いたタバコを挿入し、孔内を酸欠状態として消火せしめるものとしては実開平６−２３４９８号公報や実開平７−７４９４号公報に示されたものがある。
【０００３】
【発明が解決しようとする課題】
然しながら従来、火消し孔で消火する時は数秒間経たないと安全に消火しない為、使用者は火消し孔でタバコをもみ消すことが多い。タバコを火消し孔で数本もみ消すと孔内部が灰により詰まってしまい火消し孔本来の機能を奏しない。このため火消し孔底部に灰抜き孔を設けたものもあるがあまり効果がなかった。
【０００４】
本発明は火消し孔内を積極的にクリーニングして上記の欠点を除去するようにしたものである。
【０００５】
【課題を解決するための手段】
本発明のタバコの火消し機能付灰皿は、灰皿ケースと、この灰皿ケース内に配置したタバコ挿入用筒体と、この筒体内面に配置せしめた灰除去体と、上記筒体と上記灰除去体の何れか一方を他方に対し相対的に移動せしめる手段とよりなることを特徴とする。
【０００６】
上記相対的に移動せしめる手段は、上記灰除去体を上記筒体のタバコ挿入口側に付勢せしめるよう抑制せしめる弾性手段または上記筒体のタバコ挿入口と反対側の開口を上記灰除去体側に付勢せしめるよう抑制せしめる弾性手段を有する。
【０００７】
上記灰皿ケースは開閉蓋を有し、上記開閉蓋の閉時上記弾性手段に抗して上記筒体が上記灰除去体と相対的に移動される。
【０００８】
また、本発明のタバコの火消し機能付灰皿は、灰皿ケースと、この灰皿ケースにその基部を枢支した開閉蓋と、この蓋の下面に傾斜して固定したタバコ挿入用筒体と、この筒体内面に嵌合せしめた灰除去体と、この灰除去体にその一端を連結し、その他端を上記開閉蓋の枢支部の下方位置において上記灰皿ケースに枢支した連結具とより成ることを特徴とする。
【０００９】
【発明の実施の形態】
以下図面によって本発明の実施例を説明する。
【００１０】
図１において１は上が開いた箱状の灰皿ケース、２はその一端を上記灰皿ケース１の一側上面の第１の位置に枢支ピン３を介してその基部を回動自在に枢支した上蓋を示し、本発明の第１の実施例においては図１に示すようにタバコ挿入用中空円筒４を上記灰皿ケース１の他側上部内面に垂直に固定し、この円筒４内面に灰除去板５を配置せしめ、この灰除去板５の下面と上記円筒４の底部から突出せしめた受け４ａとの間にスプリング６を介挿せしめ、上記灰除去板５を常時上記円筒４のタバコ挿入口に向かって抑制せしめる。
【００１１】
本発明の第１の実施例は上記のような構成であるからその使用に際しては図１に示すように上蓋２を垂立して灰皿ケース１を開いた状態でタバコ７を円筒４内に上方から挿入して火の付いた部分を灰除去板５に接触せしめ図２に示すように手で押し下げる。
【００１２】
次いでタバコ７から手を離せば図２から図３の状態になり、タバコ７が円筒４から離脱し、同時に灰除去板５が円筒４内を軸方向に上動しタバコ挿入口であるその上端部に達するから円筒４内の灰８が完全に除去されるようになる。
【００１３】
なお、上記受け４ａは灰皿ケース１の内面から突出して設けても良い。
【００１４】
図４〜図６は本発明の第２の実施例を示し、この実施例においては灰皿ケース１とは独立したタバコ挿入用中空円筒９を用い、灰皿ケース１の他側内面下部に受け１ａを設け、この受け１ａによってタバコ挿入用中空円筒９の下面をスプリング１０を介して支持せしめ、上記中空円筒９内面に嵌合した灰除去板５を支軸１１を介して上記受け１ａに固定する。
【００１５】
また、上記灰皿ケース１の上記他側に縦溝１２を設け、この縦溝１２を貫通して上記灰皿ケース１の他側外面に延びるレバー１３を上記中空円筒９の外側面に連結せしめる。
【００１６】
本発明の第２の実施例は上記のような構成であるからその使用に際しては図１に示すと同様上蓋２を垂立して灰皿ケース１を開いた状態でタバコ７を中空円筒９内に上方から挿入して火の付いた部分を灰除去板５に接触せしめる。
【００１７】
次いでスプリング１０に抗してレバー１３を縦溝１２に沿って押し下げれば図５から図６の状態になり、灰除去板５が中空円筒９内を軸方向に上動しその上端部に達するからタバコ７が中空円筒９から離脱し、また、中空円筒９内の灰８が完全に除去されるようになる。
【００１８】
図７〜図９は上記第２の実施例において上記レバー１３を手もしくは上蓋２によって操作出来るようにした本発明の第３の実施例を示し、上記第２の実施例と同一部分は同一符号を付し、その説明は省略する。
【００１９】
この第３の実施例においては上蓋２の遊端に折り曲げ操作杆１４を設け、上蓋２を閉じたとき、上記操作杆１４が上記レバー１３の上端に係合し、スプリング１０に抗して中空円筒９を押し下げるようにする。
【００２０】
この第３の実施例による作用効果は上記第２の実施例のそれと同様である。
【００２１】
図１０は本発明の第４の実施例を示し、この実施例においては上記タバコ挿入用中空円筒４を上記灰皿ケース１の他側上部内面に垂直に形成し、この中空円筒４の下側における上記他側の壁に下方に延びる縦溝１２を形成し、この縦溝１２を貫通して上記灰皿ケース１の他側外面に延びるレバー１３を上記中空円筒４に配置した灰除去板５の下面に連結せしめ、上記レバー１３と上記中空円筒４を形成した上記灰皿ケース１の他側の壁間にスプリング１０を介挿せしめ、上記レバー１３を常時下方に抑制せしめる。
【００２２】
本発明の第５の実施例においては図１１及び図１２に示すように、上記第４の実施例における灰除去板５の上記他側の壁側に上記壁側を切欠して上記縦溝１２に連通せしめた断面Ｃ状の中空円筒４を形成し、スプリング１０を省略せしめる。
【００２３】
上記第４及び第５の実施例による作用効果は上記第２の実施例のそれと同様である。
【００２４】
なお、上記第４の実施例におけるレバー１３は上記第３の実施例と同様上蓋２によって操作できるようにしても良い。
【００２５】
図１３〜図１５は本発明の第６の実施例を示し、この実施例においては図１３に示すように上蓋２を垂立して灰皿ケース１の上面を開いた状態で斜め前方に開口したタバコ挿入用中空円筒９を上蓋２の基部下面に一体に固定し、この中空円筒９の内面に球状灰除去体１５を配置せしめ、この球状灰除去体１５にその一端を固定した支杆１６の他端を上記灰皿ケース１の上記第１の位置より下方の第２の位置における上記灰皿ケース１の一側内面に枢支ピン１７を介して回動自在に枢支せしめ、上記支杆１６の長さは上記上蓋２を回動して図１５に示すように上蓋２によって上記灰皿ケース１を完全に閉じたとき、上記球状灰除去体１５が上記中空円筒９の先端部に達する大きさならしめる。
【００２６】
本発明の第６の実施例は上記のような構成であるからその使用に際しては図１６に示すように上蓋２を垂立した状態でタバコ７を中空円筒９内に上方から挿入して火の付いた部分を球状灰除去体１５に接触せしめる。
【００２７】
次いで上蓋２を閉じれば図１７から図１８の状態でタバコ７が中空円筒９から離脱し、同時に球状灰除去体１５の枢支点と上蓋２の枢支点のずれに起因して球状灰除去体１５が中空円筒９内を軸方向に移動しその先端部に達するから中空円筒９内の灰８が完全に除去されるようになる。
【００２８】
図１９〜図２１は本発明の第７の実施例を示し、この実施例においては球状灰除去体１５の代りに円板状灰除去体１８を用いる。
【００２９】
この第７の実施例においては円板状灰除去体１８の外周面が中空円筒９の内周面に面として接するため中空円筒９の傾斜角が上蓋２の開閉に応じて変っても常時同軸状の姿勢を取る必要がある。そのため上記支杆１６の代りに一端を円板状灰除去体１８に枢支ピン１９を介して回動自在に枢支し、他端を上記灰皿ケース１の上面一側の上記第２の位置に枢支ピン１７を介して回動自在に枢支したリンク２０を用いる。
【００３０】
本発明の第７の実施例は上記のような構成であるからその使用に際しては図２２に示すように上蓋２を垂立した状態でタバコ７を中空円筒９内に上方から挿入して火の付いた部分を円板状灰除去体１８に接触せしめる。
【００３１】
次いで上蓋２を閉じれば図２３から図２４の状態でタバコ７が中空円筒９から離脱し、同時に円板状灰除去体１８の枢支点と上蓋２の枢支点のずれに起因して円板状灰除去体１８が中空円筒９内を軸方向に移動しその先端部に達するから中空円筒９内の灰８が完全に除去される。
【００３２】
上記第７の実施例の作用効果は上記第６の実施例と同様である。
【００３３】
なお、上記第６の実施例における支杆１６及び上記第５の実施例におけるリンク２０の代りにつる巻きばね（図示せず）を用いても良い。
【００３４】
また、上記各実施例における上蓋２はスプリング（図示せず）によって常時垂立するように抑制せしめ、灰皿ケース１内を常時開くようにしても良い。
【００３５】
【発明の効果】
本発明のタバコの火消し機能付灰皿によれば、火消し円筒内の灰による詰まりを確実に防ぐことが出来ると共に、手を汚すこともない等大きな利益がある。
【図面の簡単な説明】
【図１】本発明のタバコの火消し機能付灰皿の第１の実施例を示す縦断面図である。
【図２】図１に示すタバコの火消し機能付灰皿の動作説明図である。
【図３】図１に示すタバコの火消し機能付灰皿の動作説明図である。
【図４】本発明のタバコの火消し機能付灰皿の第２の実施例を示す縦断面図である。
【図５】図４に示すタバコの火消し機能付灰皿の動作説明図である。
【図６】図４に示すタバコの火消し機能付灰皿の動作説明図である。
【図７】本発明のタバコの火消し機能付灰皿の第３の実施例を示す縦断面図である。
【図８】図７に示すタバコの火消し機能付灰皿の動作説明図である。
【図９】図７に示すタバコの火消し機能付灰皿の動作説明図である。
【図１０】本発明のタバコの火消し機能付灰皿の第４の実施例を示す縦断面図である。
【図１１】本発明のタバコの火消し機能付灰皿の第５の実施例を示す縦断面図である。
【図１２】図１１の１２−１２線断面図である。
【図１３】本発明のタバコの火消し機能付灰皿の第６の実施例を示す縦断面図である。
【図１４】図１３に示すタバコの火消し機能付灰皿の動作説明図である。
【図１５】図１３に示すタバコの火消し機能付灰皿の動作説明図である。
【図１６】図１３に示すタバコの火消し機能付灰皿の動作説明図である。
【図１７】図１３に示すタバコの火消し機能付灰皿の動作説明図である。
【図１８】図１３に示すタバコの火消し機能付灰皿の動作説明図である。
【図１９】本発明のタバコの火消し機能付灰皿の第７の実施例を示す縦断面図である。
【図２０】図１９に示すタバコの火消し機能付灰皿の動作説明である。
【図２１】図１９に示すタバコの火消し機能付灰皿の動作説明である。
【図２２】図１９に示すタバコの火消し機能付灰皿の動作説明である。
【図２３】図１９に示すタバコの火消し機能付灰皿の動作説明である。
【図２４】図１９に示すタバコの火消し機能付灰皿の動作説明である。
【符号の説明】
１　　灰皿ケース
１ａ　受け
２　　上蓋
３　　枢支ピン
４　　中空円筒
４ａ　受け
５　　灰除去板
６　　スプリング
７　　タバコ
８　　灰
９　　中空円筒
１０　　スプリング
１１　　支軸
１２　　縦溝
１３　　レバー
１４　　操作杆
１５　　球状灰除去体
１６　　支杆
１７　　枢支ピン
１８　　円板状灰除去体
１９　　枢支ピン
２０　　リンク
【図１】
2004017786.tif 000003
【図２】
2004017786.tif 000004
【図３】
2004017786.tif 000005
【図４】
2004017786.tif 000006
【図５】
2004017786.tif 000007
【図６】
2004017786.tif 000008
【図７】
2004017786.tif 000009
【図８】
2004017786.tif 000010
【図９】
2004017786.tif 000011
【図１０】
2004017786.tif 000012
【図１１】
2004017786.tif 000013
【図１２】
2004017786.tif 000014
【図１３】
2004017786.tif 000015
【図１４】
2004017786.tif 000016
【図１５】
2004017786.tif 000017
【図１６】
2004017786.tif 000018
【図１７】
2004017786.tif 000019
【図１８】
2004017786.tif 000020
【図１９】
2004017786.tif 000021
【図２０】
2004017786.tif 000022
【図２１】
2004017786.tif 000023
【図２２】
2004017786.tif 000024
【図２３】
2004017786.tif 000025
【図２４】
2004017786.tif 000026